(57)【要約】【課題】  ボックス文書のプリント設定時にプレビューと挿入紙設定やページ削除、文書挿入設定を連携させることで、文書編集設定のしやすい画像処理装置を提供する。【解決手段】  プレビュー画面から挿入紙設定やページ削除、文書挿入の設定画面に直接遷移でき、プレビューしたページに対して編集する設定を行うことを特徴とする。【選択図】        図１
2006180044.tif 000002
【特許請求の範囲】
【請求項１】
画像データを入力する画像入力手段、前記画像入力手段により入力された画像データを記憶する画像記憶手段、前記画像記憶手段に記憶された画像データを読み出してプリント出力する画像出力手段、前記画像入力手段の入力モードや画像出力手段のプリント出力モードなどを設定したり前記画像記憶手段に記憶された画像データを表示することができるタッチパネル手段を備え、前記タッチパネル手段に前記画像記憶手段に記憶された画像データを表示するプレビュー画面からページ編集指示を行うページ編集手段を有することを特徴とする画像処理装置。
【請求項２】
前記タッチパネル手段のプレビュー画面には、前記画像記憶手段に記憶された画像データを縮小して表示することを特徴とする請求項１に記載の画像処理装置。
【請求項３】
前記タッチパネル手段のプレビュー画面には、前記画像記憶手段に記憶された画像データを縮小して一度に複数ページを表示することを特徴とする請求項１に記載の画像処理装置。
【請求項４】
前記ページ編集手段は、前記プレビュー画面に表示したページを削除することを特徴とする請求項１に記載の画像処理装置。
【請求項５】
前記ページ編集手段は、前記プレビュー画面に表示したページの前後に挿入紙を挿入することを特徴とする請求項１に記載の画像処理装置。
【請求項６】
前記ページ編集手段は、前記プレビュー画面に表示したページの給紙段変更することを特徴とする請求項１に記載の画像処理装置。
【請求項７】
前記ページ編集手段は、前記プレビュー画面に表示したページの前後に他の画像を挿入することを特徴とする請求項１に記載の画像処理装置。
【発明の詳細な説明】
【技術分野】
【０００１】
本発明は、画像を記憶しておけるカラーデジタル複写機等において、記憶されている画像を大型液晶タッチパネルに表示し、その画面からページ編集を行う画像処理装置に関する。
【背景技術】
【０００２】
従来、スキャナから読み取った画像データや、ホストコンピュータからネットワークを介して送られたＰＤＬデータをビットマップに展開した画像データをハードディスクなどのメモリに一旦記憶し、そのメモリから任意の原稿の画像データを繰り返し読み出してプリントアウトする機能を備えたデジタル複写機が知られている。
【０００３】
また、このハードディスクなどのメモリをプリント出力用のテンポラリ画像メモリとして使用するだけでなく、ユーザ毎、部署毎等、論理的にパーティションを切ることで、そこに機密文書やよく使用する文書を入れておき、必要なときに複写機の操作パネルからユーザパスワードを入力して出力することができるボックス機能が実現されている。
【０００４】
このボックス機能においても機能向上が図られ、ただボックスに入っている文書をプリントするだけでなく、プリント時にプリント設定を変更してプリントすることができる。設定変更できるプリント設定は、両面、フィニッシング、表紙、挿入紙などである。また、ボックスに入っている文書を編集することも可能である。ここで言う文書編集とは、ページを削除したり、ページ間に他の文書や他の文書のページを挿入したりすることである。
【０００５】
さらに、操作パネルに大型液晶タッチパネルを採用することで、ボックス内の文書をプリントしなくとも複写機に備わっている液晶パネルに画像をプレビューしたり、サムネイル画像を表示したりすることにより文書の内容を見ることができるデジタル複写機も増えてきている。
【特許文献１】特開平７−１５２９２１号公報
【発明の開示】
【発明が解決しようとする課題】
【０００６】
しかしながら、大型液晶パネルの採用によりボックスに入っている文書の画像をプレビューすることはでき、カラー機では色変換等のページ編集をすることもできるが、基本的に表示した画像に対する操作しかすることができず、プレビュー画面と挿入紙挿入、文書挿入、ページ挿入、ページ削除といった画像でなくページの編集機能との連携がとれたほうがより望まれていた。
【０００７】
本発明は、上記従来例の問題点に鑑みてなされたものであり、その目的とするところは、大型液晶タッチパネルのプレビュー画面から挿入紙挿入、文書挿入、ページ挿入、ページ削除等の編集設定を行わせることで、編集設定を容易に行うことのできる画像処理装置を提供することである。
【課題を解決するための手段】
【０００８】
本発明は、画像データを入力する画像入力手段、前記画像入力手段により入力された画像データを記憶する画像記憶手段、前記画像記憶手段に記憶された画像データを読み出してプリント出力する画像出力手段、前記画像入力手段の入力モードや画像出力手段のプリント出力モードなどを設定したり前記画像記憶手段に記憶された画像データを表示することができるタッチパネル手段を備え、前記タッチパネル手段に前記画像記憶手段に記憶された画像データを表示するプレビュー画面からページ編集指示を行うページ編集手段を有することを特徴とする画像処理装置である。
【発明の効果】
【０００９】
以上のように本発明によれば、大型液晶タッチパネルのプレビュー画面から挿入紙挿入、文書挿入、ページ挿入、ページ削除等の編集設定を行わせることで、編集設定を容易に行うことのできるカラーデジタル複写機等の画像処理装置を提供することができる。
【発明を実施するための最良の形態】
【００１０】
以下本発明を実施するための最良の形態を、実施例により詳しく説明する。
【実施例１】
【００１１】
本発明の実施例にかかわる画像入出力システムの全体構成を、図１を参照しながら説明する。
【００１２】
リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００１３】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３７０とで構成される。
【００１４】
制御装置１１０は、リーダー部２００、プリンタ部３００と電気的に接続され、さらにネットワーク４００を介して、ホストコンピュータ１７０，１８０と接続されている。
【００１５】
制御装置１１０は、リーダー部２００を制御して、原稿の画像データを読込み、プリンタ部３００を制御して画像データを記録用紙に出力してコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能、を提供する。
【００１６】
操作部１５０は、制御装置１１０に接続され、液晶タッチパネルで構成され、画像入出力システムを操作するためのユーザＩ／Ｆを提供する。
【００１７】
図２はリーダー部２００及びプリンタ部３００の断面図である。リーダー部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、制御装置１１０へ転送される。
【００１８】
２２２は画像処理回路部であり、読み取られた画像情報を電気信号として処理し、プリント信号として出力するところである。
【００１９】
プリンタ部３００のレーザドライバ３１７はレーザ発光部３１３、３１４、３１５、３１６を駆動するものであり、制御装置１１０から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２０】
用紙カセット３２９、３３０及び手差しトレイ３３２のいずれかより給紙された用紙は、レジストローラ３３３を経て、転写ベルト３３４上に吸着され、搬送される。
【００２１】
そして、レーザ光の照射開始と同期したタイミングで、カセット３２９及びカセット３３０のいずれかから記録紙を給紙して転写ベルト３３４へ搬送し、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３３９は排出された記録紙を束ねて記録紙の仕分けをしたり、仕分けされた記録紙のステイプルを行う。
【００２２】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２３】
制御装置１１０の機能を、図３に示すブロック図をもとに説明する。
【００２４】
メインコントローラ１１１は、主にＣＰＵ１１２と、バスコントローラ１１３、各種Ｉ／Ｆコントローラ回路とから構成される。
【００２５】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２６】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００２７】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００２８】
画像処理部１３５は、ＤＲＡＭ１１６に蓄積されたラスターイメージデータに対して、画像回転、画像変倍、色空間変換、二値化の処理をそれぞれ行う。ＳＲＡＭ１３６は画像処理部１３５の一時的なワーク領域として使用される。画像処理部１３５はＩ／Ｆ１３７を介してメインコントローラ１１１と接続され、ＤＲＡＭ１１６との間のデータの転送は、バスコントローラ１１３によって制御されＤＭＡ転送される。
【００２９】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。ネットワークとしては一般的にイーサネットがあげられる。
【００３０】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３１】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３２】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３３】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３４】
リアルタイムクロックモジュール１３３は、機器内で管理する日付と時刻を更新／保存するためのもので、バックアップ電池１３４によってバックアップされている。
【００３５】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込む動作を行う。
【００３６】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００３７】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。
【００３８】
スキャナバス１４１からＤＲＡＭ１１６へのデータ転送は、バスコントローラ１１３によって制御される。
【００３９】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４０】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４１】
図４は画像処理部１３５のブロック図である。画像処理部１３５は、画像回転、画像変倍、色空間変換、二値化の処理をそれぞれ行うモジュールを有する。ＳＲＡＭ１３６は画像処理部１３５の各々のモジュールの一時的なワーク領域として使用される。各々のモジュールが用いるＳＲＡＭ１３６のワーク領域が競合しないよう、あらかじめ各々のモジュールごとにワーク領域が静的に割り当てられているものとする。画像処理部１３５はＩ／Ｆ１３７を介してメインコントローラ１１１と接続され、ＤＲＡＭ１１６との間のデータの転送は、バスコントローラ１１３によって制御されＤＭＡ転送される。
【００４２】
バスコントローラ１１３は、画像処理部１３５の各々のモジュールにモード等を設定する制御及び、各々のモジュールに画像データを転送するためのタイミング制御を行う。
【００４３】
以下、画像処理毎に詳細に各ブロックの役割を示す。
【００４４】
＜画像回転部の説明＞
以下に画像回転部４０１における処理手順を示す。
【００４５】
Ｉ／Ｆ１３７を介して、ＣＰＵ１１２からバスコントローラ１１３に画像回転制御のための設定を行う。この設定によりバスコントローラ１１３は画像回転部４０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００４６】
＜画像変倍部の説明＞
以下に画像変倍部４０２における処理手順を示す。
【００４７】
Ｉ／Ｆ１３７を介して、ＣＰＵ１１２からバスコントローラ１１３に画像変倍制御のための設定を行う。この設定によりバスコントローラ１１３は画像変倍部４０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００４８】
画像変倍部４０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って変倍処理とする。変倍後のデータは再度ＳＲＡＭ１３６へ書き戻し、これを出力バッファとして画像変倍部４０２はＳＲＡＭ１３６から上述した読み出し方法で画像データを読み出し、バスコントローラ１１３に転送する。
【００４９】
変倍処理された画像データを受け取ったバスコントローラ１１３は、ＤＲＡＭ１１６もしくはＩ／Ｆ上の各デバイスにデータを転送する。
【００５０】
＜色空間変換部の説明＞
以下に色空間変換部４０３における処理手順を示す。
【００５１】
Ｉ／Ｆ１３７を介して、ＣＰＵ１１２からバスコントローラ１１３に色空間変換制御のための設定を行う。この設定によりバスコントローラ１１３は色空間変換部４０３およびＬＵＴ（ルック・アップ・テーブル）４０４に対して色空間変換処理に必要な設定（後述のマトリックス演算の係数、ＬＵＴ４０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００５２】
色空間変換部４０３は、受け取った画像データ１画素ごとに対して、まず下記の式で表される３×３のマトリックス演算を施す。
【００５３】
2006180044.tif 000003
【００５４】
上式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００５５】
上式の演算によって、例えばＲＧＢ色空間からＹｕｖ色空間への変換など、各種の色空間変換を行うことができる。また、係数を変えることで白黒変換を行うことができる。例えば一般的な（Ｒ＋２Ｇ＋Ｂ）／４といった式になるよう係数を変えることで白黒変換を行う。
【００５６】
次に、マトリックス演算後のデータに対して、ＬＵＴ４０４による変換を行う。これによって、非線形の変換をも行うことができるのである。当然、スルーのテーブルを設定することにより、実質的にＬＵＴ変換を行わないこともできる。
【００５７】
その後、色空間変換部４０３は色空間変換処理された画像データをバスコントローラ１１３に転送する。
【００５８】
色空間変換処理された画像データを受け取ったバスコントローラ１１３は、ＤＲＡＭ１１６もしくはＩ／Ｆ上の各デバイスにデータを転送する。
【００５９】
＜画像二値化部の説明＞
以下に画像二値化部４０５における処理手順を示す。
【００６０】
Ｉ／Ｆ１３７を介して、ＣＰＵ１１２からバスコントローラ１１３に二値化制御のための設定を行う。この設定によりバスコントローラ１１３は画像二値化部４０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６１】
画像二値化部４０５は、受け取った画像データに対して二値化処理を施す。本実施例では、二値化の手法としては、画像データを所定の閾値と比較して単純に二値化するものとする。もちろん、ディザ法、誤差拡散法、誤差拡散法を改良したものなど、いずれの手法によってもかまわない。
【００６２】
その後、画像二値化部４０５は二値化処理された画像データをバスコントローラ１１３に転送する。
【００６３】
二値化処理された画像データを受け取ったバスコントローラ１１３は、ＤＲＡＭ１１６もしくはＩ／Ｆ上の各デバイスにデータを転送する。
【００６４】
図５は、デジタル複写機の操作部１５０のキー配列を示す。５０１は、電源スイッチであり、本体への通電を制御する。５０２は、予熱キーであり、予熱モードのＯＮ／ＯＦＦに使用する。５０３は、コピーＡモードキーであり、複数の機能の中からコピーＡモードを選択するときに使用する。５０４は、コピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。５０５は、ボックスキーであり、複数の機能の中からボックスモードを選択するときに使用する。ボックス機能とは、ユーザ個人や部署毎に複写機内のメモリに記憶領域を持ち、そこにＰＤＬやスキャン画像を入れておき、好きなときに出力する機能である。５０６は、拡張キーであり、ＰＤＬに対する操作を行うときに使用する。５０３〜５０６は後述するＬＣＤ５１６の各々の機能画面を呼び出すときにも使用され、ＬＣＤ５１６の表示により各々のジョブの状況を見ることができる。５０７は、コピースタートキーであり、コピーの開始を指示するときに用いるキーである。５０８は、ストップキーであり、コピーを中断したり、中止したりするときに用いるキーである。５０９は、リセットキーで、スタンバイ中は標準モードに復帰させるキーとして動作する。５１０は、ガイドキーであり、各機能を知りたいときに使用するキーである。５１１は、ユーザモードキーであり、ユーザがシステムの基本設定を変更するときに使用する。５１２は、割り込みキーであり、コピー中に割り込みしてコピーしたいときに用いる。５１３は、テンキーであり、数値の入力を行うときに使用する。５１４は、クリアキーであり、数値をクリアするときに用いる。５１５は、ＩＤキーであり、複写機を使用する場合にＩＤの入力モードに移行するときに使用する。５１６は、液晶画面とタッチセンサの組合せからなるＬＣＤタッチパネルであり、各モード毎に個別の設定画面が表示され、さらに、描画されたキーに触れることで、各種の詳細な設定を行うことが可能である。また、各々のジョブの動作状況表示なども行う。５１７は、ネットワークの通信状態を示すタリーランプであり、通常緑色で、通信しているときは緑色で点滅し、ネットワークエラーの場合には赤色になる。５１８は、ＡＣＳ（オートカラーセレクト）キーであり、コピー原稿がカラーか白黒かを自動的に判別し、カラーならばカラーで、白黒ならば黒単色でスキャンするモードを設定する場合に使用する。５１９は、フルカラーモードキーであり、コピー原稿に関わらずフルカラーでスキャンするモードを設定する場合に使用する。５２０は、ブラックモードキーであり、コピー原稿に関わらず黒単色でスキャンするモードを設定する場合に使用する。５１８〜５２０はトグル動作し、必ずどれか一つが選択されており、選択されているキーが点灯している。
【００６５】
図６は、本実施例における操作パネル５１６のコピー標準画面を示した図である。本実施例の画像処理装置は、電源投入時にデフォルトとしてコピー標準画面で起動するようになっている。６０１は、メッセージラインであり、コピージョブの状態をメッセージで表示する。６０２は、倍率表示であり、設定された倍率やコピーモードによって自動的に決められる倍率をパーセントで表示する。６０３は、用紙サイズ表示であり、選択された出力用紙を表示し、自動用紙選択が設定されている場合にはオート用紙というメッセージを表示する。６０４は置数表示であり、何枚コピーするかを示す。６０５は、縮小キーであり、縮小コピーを行いたい場合に使用する。６０６は、等倍キーであり、縮小や拡大が設定されている場合に等倍に戻したいときに使用する。６０７は、拡大キーであり、拡大コピーを行いたい場合に使用する。６０８は、ズームキーであり、細かい単位で倍率を設定して縮小コピーや拡大コピーを行いたい場合に使用する。６０９は、用紙選択キーであり、出力用紙を指定する場合に使用する。６１０は、フィニッシャキーであり、ソートやステイプルのモードを設定する場合に使用する。６１１は両面キーであり、両面モードを設定する場合に使用する。６１２は、濃度表示で、現在の濃度が分かるようになっており、左側が濃度が薄く、右側が濃度が濃いことを示す。また、濃度表示６１２は、薄くキー６１３、こくキー６１５と連動して表示が変化するようになっている。６１３は、薄くキーであり、濃度を薄くしたい場合に使用する。６１４は自動キーであり、自動的に濃度を決定するモードを使用する場合に使用する。６１５は、こくキーであり、濃度を濃くしたい場合に使用する。６１６は、文字キーであり、文字原稿をコピーするのに適した濃度に自動的に設定する文字モードを設定する場合に使用する。６１７は、文字／写真キーであり、写真が混在した原稿をコピーするのに適した濃度に自動的に設定する文字／写真モードを設定する場合に使用する。６１８は、応用モードキーであり、コピー標準画面で設定できない様々なコピーモードを設定する場合に使用する。６１９は、システム状況キーであり、現在この画像入出力システム１００で行われているプリントやスキャンの状況を見たい場合に使用する。システム状況キー６１９は、コピー標準画面だけではなく、常にこの位置に現れており、いつでもこのキーを押すことによりシステムの状況を見ることができるようになっている。この図では図示していないが、６２０の領域はメッセージライン６０１で表示する必要のない優先度の低いアラームや、他の機能の実行状態などをメッセージ表示するステータスラインである。
【００６６】
図７はハードディスク１６２の論理的な使用方法を示した図である。本実施例においては使用用途に応じてハードディスクの記憶領域をテンポラリ領域７０１とボックス領域７０２に論理的に分ける。テンポラリ領域７０１は、画像データの出力順序を変えたり、複数部出力においても一回のスキャンで出力ができるようにするために、ＰＤＬの展開データやスキャナからの画像データを一時的に記憶する記憶領域である。ボックス領域７０２はボックス機能を使用するための記憶領域であり、７０３〜７０７のように登録された数の小さな記憶領域に分割されている。ボックス７０３〜７０７は、各ユーザや会社などの部署毎に割り当てられ、各ボックスにはボックス名とパスワードを付けることができる。ユーザはボックスを指定することでＰＤＬジョブやスキャンジョブを各ボックス入力することができ、パスワードを入力することで実際にボックスの中を見たり、設定変更やプリント出力を行う。
【００６７】
図８は、本実施例におけるボックス登録の手順を示すフローチャートである。ボックスへの登録は、ホストコンピュータ１７０，１８０からのＰＤＬ画像と、スキャナからのスキャン画像の登録があり、それぞれ図８の（ａ）、（ｂ）のフローとなる。なお、図中のＳ８０１〜Ｓ８０８は各ステップを示す。
【００６８】
ＰＤＬ画像を登録する場合、Ｓ８０１では、ＰＣ１７０，１８０上でユーザがプリント設定を行いＳ８０２に進む。プリント設定内容は、部数、用紙サイズ、拡大縮小率、片面／両面、ページ出力順序、ソート出力、ステイプル止めの有無等である。
【００６９】
Ｓ８０２では、ＰＣ１７０，１８０上でボックス番号を設定することで、ハードディスク１６２のボックス領域７０２内の領域が指定され、Ｓ８０３に進む。例えば、ボックス番号が１と指定されると、ボックス領域７０２内のパーソナルボックス領域７０３が指定されることなる。
【００７０】
Ｓ８０３では、ＰＣ１７０，１８０上で印刷指示を与え、それと共にＰＣ１７０，１８０上にインストールされているドライバソフトウェアが印刷対象となるコードデータをいわゆるＰＤＬデータに変換して、Ｓ８０１で設定したプリント設定パラメータとともに、本画像入出力装置の制御装置１１０にＰＤＬデータを転送し、Ｓ８０４に進む。
【００７１】
Ｓ８０４では、転送されたＰＤＬデータを画像データに展開（ラスタライズ）する。画像データの展開が完了するとＳ８０５に進む。
【００７２】
Ｓ８０５では、展開された画像データがハードディスク１６２のボックス領域領域７０２に順次記録され、例えばボックス番号が１のときは、領域７０３内に記憶される。Ｓ８０１で設定したプリント設定パラメータも領域７０３に記録される。ボックス番号が２、３のときはそれぞれ領域７０４、領域７０５に記憶される。
【００７３】
スキャン画像を登録する場合は、まずＳ８０６で画像を入力するボックス番号を指定し、Ｓ８０７に進む。
【００７４】
Ｓ８０７では、画像処理等のスキャン設定を指定し、Ｓ８０８に進む。
【００７５】
Ｓ８０８では、スキャンスタートの指示を出すことで、リーダー部２００で原稿を読み取りＳ８０９に進む。
【００７６】
Ｓ８０９では、Ｓ８０８で読み取った画像をＳ８０６で指定したボックス領域に格納する。
【００７７】
図９は、本実施例における操作パネルのボックスキー５０５を押下した場合のＬＣＤ５１６の表示である。この画面はボックスを選択する画面であり、９０１はそのボックス番号、ボックス名、ハードディスク１６２のボックス領域７０２に対してそのボックスがどれだけ容量をとっているかの情報を表示する。ボックス番号を押下すると、図１０に示すパスワード入力画面に遷移する。９０２と９０３はそれぞれ上下スクロールキーであり、９０１の表示を越える数のボックスが登録されているときに、画面をスクロールする場合に使用する。
【００７８】
図１０は、本実施例における操作パネルのパスワード入力画面である。この画面から各ボックスに設定されているパスワードを入力することで図１１に示すボックス内画面に遷移し、各ボックスにアクセスできるようになる。パスワードが違う場合には、図示していない警告画面に遷移し、ボックスにはアクセスできない。１００１は取消キーであり、図９の画面に戻る。１００２はＯＫキーであり、このキーを押下することで入力したパスワードの確定となり、パスワードの検証が行われる。
【００７９】
図１１は、本実施例における操作パネルのボックス内画面である。１１０１はボックス内のファイルリストであり、各ファイルの登録日時、ファイル名がリスト表示される。ファイルを選択するにはファイル名を押下し、現在選択されているファイルは反転表示される。１１０２はスキャンキーであり、現在開いているボックスにスキャナから画像を入力する場合に使用し、図示していないスキャンの設定画面に遷移する。１１０３はプリントキーであり、１１０１で選択しているファイルをプリントする場合に使用する。１１０４は文書挿入キーであり、１１０１で選択しているファイルの途中に他のファイルを挿入したい場合に使用する。このキーを押下すると、図１４に示す画面へと遷移する。１１０５は消去キーであり、１１０１で選択しているファイルを消去する場合に使用する。１１０６と１１０７はそれぞれ上下スクロールキーであり、１１０１の表示を超える数のファイルが登録されているときに、画面をスクロールする場合に使用する。１１０８は閉じるキーであり、図９の画面に戻るときに使用する。
【００８０】
図１２は、本実施例における操作パネルの挿入ページの設定画面であり、図１１に示すボックス内画面でファイルを選択し、プリントキー１１０３を押下すると表示される図示していない応用モード設定画面から表紙／合紙の設定キーを押下するとこの画面に遷移する。１２０１は現在設定されている挿入紙の枚数、給紙箇所、挿入位置を表示する画面である。合紙欄は挿入紙が何枚目かを示している。給紙箇所は挿入紙をどこの給紙段から引くかとその用紙サイズを示している。原稿欄は挿入紙をどこに挿入するかを示している。１２０１での例では、１枚目の挿入紙としてカセット１のＡ４用紙を引き、４ページの前、すなわち３ページと４ページの間に白紙として挿入し、２枚目の挿入紙としてカセット２のＡ４用紙を引き、７ページ目の画像をその用紙に印字することを示している。１２０２は追加キーであり、挿入紙を追加する場合に押下すると、図示していないが挿入位置を数字で入力する合紙設定画面に遷移する。従来はこの数字入力でしか挿入紙の設定ができなかったため、一度プリントして手作業でどこに挿入紙を挿入するかを数える必要があった。１２０３は詳細／編集キーであり、１２０１で既に設定されている挿入紙を選択しこのキーを押下することで、各挿入紙の給紙段等を詳細に設定することができる。１２０４はプレビューキーであり、このキーを押下すると図１４に示すプレビュー画面に遷移し、図１１で選択したファイルの画像をプレビューすることができる。１２０５は消去キーであり、１２０１で既に設定されている挿入紙を選択しこのキーを押下することで、一度設定された挿入紙の設定を消去することができる。１２０６は上下スクロールキーであり、１２０１の挿入紙リストが１画面に収まらない場合にこのキーにより上下に画面をスクロールさせることができる。１２０７は戻るキーであり、この画面での設定をクリアして図示していない応用モード設定画面に戻る場合に使用する。１２０８はＯＫキーであり、この画面での設定を有効にし、図示していない応用モード設定画面に戻る場合に使用する。このキーを押下することで、挿入紙の設定がプリントモードに反映されることになる。
【００８１】
図１３は、本実施例における挿入紙の挿入例を示した図である。（ａ）は挿入紙を挿入しない場合のプリント出力例、（ｂ）は（ａ）に対し図１２の１２０１で設定されている挿入紙を挿入した場合のプリント出力例である。（ａ−１）〜（ａ−９）は１ボックス文書の本文ページであり、このボックス文書は９ページの画像から構成されていることを示している。（ｂ−１）〜（ｂ−１０）は（ａ）のボックス文書を１２０１の挿入紙設定で挿入紙を挿入した場合のプリント出力例である。（ｂ−４）は１２０１の１枚目の挿入紙であり、４ページの前に白紙として挿入されている。（ｂ−８）は１２０１の２枚目の挿入紙であり、７ページの画像を別の給紙段の色紙に印字している。これらの挿入紙は文書の途中に区切りを付けたい場合に使用する。
【００８２】
図１４は、本実施例における操作パネルのプレビュー画面である。１４０１はプレビューウィンドウであり、ここにプレビュー画像が表示される。画像サイズと倍率によっては、１画面に表示できない場合もある。１４０２は上下左右のスクロールキーであり、画像サイズと倍率によって１４０１の１画面にプレビュー画像が表示できない場合に、上下左右にスクロールさせるときに使用する。１４０３はページめくりキーであり、１４０１に表示するプレビュー画像のページを指定するために使用する。左のキーを押下すると前ページへ、右のキーを押下すると次ページへとページをめくることが可能である。１４０４は拡大縮小キーであり、１４０１に表示するプレビュー画像の倍率を変えるために使用する。「−」が縮小、「＋」が拡大である。１４０５は表紙／合紙キーであり、１４０１に表示しているプレビュー画像のページの前後に挿入紙を挿入設定する場合に使用する。１４０１に表示しているプレビュー画像のページの給紙段を変更することも可能である。１４０５を押下すると、図１５に示す挿入紙設定画面に遷移する。１４０６は削除キーであり、ボックスに登録されているボックス文書から１４０１にプレビュー表示されているページを削除する場合に使用する。１４０７は閉じるキーであり、プレビュー画面を閉じて図１２に示す画面に戻る場合に使用する。
【００８３】
図１５は、本実施例における操作パネルの挿入紙設定画面である。１５０１は図１４の１４０１にプレビュー表示されているページの前に白紙の挿入設定を行う場合にチェックする。１５０２は１４０１にプレビュー表示されているページの給紙段を変更する場合にチェックする。１５０２により給紙段を変更することにより、１４０１にプレビュー表示したページを表紙や挿入紙として異なる用紙にプリントすることが可能となる。１５０３は１４０１にプレビュー表示されているページの後ろに白紙の挿入設定を行う場合にチェックする。本実施例においては、１５０１〜１５０３は排他になっており、どれか一つしかチェックすることはできない。また、既に前に白紙挿入紙設定がされている場合は１５０１は網掛けで設定できなくなり、後ろに白紙挿入紙設定がされている場合は１５０３は網掛けで設定できなくなる。１５０４はＯＫキーであり、この画面での設定を有効にし、図１６に示す用紙選択画面に遷移させる場合に使用する。１５０５は取消キーであり、この画面を抜けて図１４のプレビュー画面に戻る場合に使用する。
【００８４】
図１６は、本実施例における操作パネルの用紙選択画面である。図１５の挿入紙設定画面で設定した挿入紙をどの給紙段から引くかをこの画面で設定する。１６０１はプリンタ装置３００の給紙ユニット３６０の状態を示しており、各給紙ユニットに入っている用紙サイズと用紙残量を表示している。１６０１は各給紙ユニット毎にキーとなっており、各給紙ユニットに触れることにより挿入紙を設定できる。１６０２はＯＫキーであり、この画面で設定した給紙ユニットの設定を有効とし、図１４のプレビュー画面に戻る。１６０３は取消キーであり、図１５の挿入紙設定画面に戻るときに使用する。
【００８５】
図１７は、本実施例における挿入紙設定のフローチャートである。なお、図中のＳ１７０１〜Ｓ１７１３は各ステップを示す。
【００８６】
Ｓ１７０１では、図１４の表紙／合紙キー１４０５が押下され、Ｓ１７０２に進む。
【００８７】
Ｓ１７０２では、１４０１に表示したページの前に白紙挿入紙の設定があるかどうかを判断し、ある場合はＳ１７０３に進み、ない場合はＳ１７０４に進む。
Ｓ１７０３では、Ｓ１７０６で表示する図１５の挿入紙設定画面の１５０１を網掛けして選択できない設定とし、Ｓ１７０４に進む。
【００８８】
Ｓ１７０４では、１４０１に表示したページの後ろに白紙挿入紙の設定があるかどうかを判断し、ある場合はＳ１７０５に進み、ない場合はＳ１７０６に進む。
【００８９】
Ｓ１７０５では、Ｓ１７０６で表示する図１５の挿入紙設定画面の１５０３を網掛けして選択できない設定とし、Ｓ１７０６に進む。
【００９０】
Ｓ１７０６では、図１５の挿入紙設定画面を表示し、Ｓ１７０７に進む。
【００９１】
Ｓ１７０７では、図１５の挿入紙設定画面で選択された設定をプリントモードに反映し、Ｓ１７０８に進む。
【００９２】
Ｓ１７０８では、図１５の取消キー１５０５が押下されたかを判断し、押下された場合にはＳ１７０１に進み、そうでなければＳ１７０９に進む。
【００９３】
Ｓ１７０９では、図１５のＯＫキー１５０４が押下されたかを判断し、押下された場合にはＳ１７１０に進み、そうでなければＳ１７０７に進む。
【００９４】
Ｓ１７１０では、図１６の用紙選択画面を表示し、Ｓ１７１１に進む。
【００９５】
Ｓ１７１１では、図１６の１６０１により給紙ユニットが選択され、Ｓ１７１２に進む。
【００９６】
Ｓ１７１２では、図１６の取消キー１６０３が押下されたかを判断し、押下された場合にはＳ１７０２に進み、そうでなければＳ１７１３に進む。
【００９７】
Ｓ１７１３では、図１６のＯＫキー１６０２が押下されたかを判断し、押下された場合には終了して図１４のプレビュー画面に戻り、そうでなければＳ１７１１に進む。
【実施例２】
【００９８】
実施例２は、プレビュー画面からボックス機能の文書挿入やページ挿入機能の挿入位置決定を可能にするものである。
【００９９】
図１８は、本実施例における文書挿入機能を説明した図である。図１８の（ａ）は挿入先ボックス文書、（ｂ）は挿入ボックス文書であり、（ａ）の３ページに（ｂ）を挿入した結果が挿入結果ボックス文書（ｃ）である。本実施例の場合、３ページに挿入するということは、挿入文書の先頭ページが挿入結果文書の３ページ目になるように挿入することである。もちろん、３ページの後ろに挿入し、挿入文書の先頭ページが挿入結果文書の４ページ目になってもかまわない。図１８の例においては、挿入文書（ｂ）の先頭ページ（ｂ−１）が挿入先文書（ａ）に挿入後、挿入結果文書（ｃ）の３ページ目（ｃ−３）になる。そして挿入先文書（ａ）の３ページ目（ａ−３）〜５ページ目（ａ−５）は、挿入結果文書（ｃ）の８ページ目（ｃ−８）〜１０ページ目（ｃ−１０）となる。
【０１００】
図１９は、本実施例における操作パネルの文書挿入画面である。この画面には図１１の文書挿入キー１１０４を押下すると遷移する。１９０１は挿入先文書表示であり、本実施例では図１１で選択した文書である。図１１の１１０１画面に表示している項目と同様、登録日時とファイル名を表示する。１９０２は挿入ページ番号であり、挿入する文書をどこに挿入するかの設定である。図２０で説明するプレビュー画面やテンキー５１３で設定が可能である。例では３ページに挿入する設定である。１９０３は挿入先文書プレビューキーであり、このキーを押下することで図２０に示す画面に遷移し、挿入先ページの先頭ページを表示する。このプレビュー画面からは挿入先ページを指定することが可能である。１９０４は挿入文書選択のための挿入文書リストである。本実施例では、挿入先の文書と同じボックスに入った文書しか挿入文書として指定できないため、挿入文書リスト１９０４には挿入先文書と同じボックスの文書リストを表示しているが、異なるボックスの文書リストを表示するようにしてもかまわない。挿入文書リスト１９０４に表示する内容は図１１の１１０１と同じで、文書の登録日時とファイル名である。但し、本実施例においては挿入先文書に同一文書を挿入することは不可能であるため、挿入先文書は網掛け表示し、選択できなくなっている。もちろん、挿入先文書をこの挿入文書リスト１９０４に表示しないようにしてもかまわない。１９０５は上下スクロールキーであり、挿入文書リストが１画面内に収まらない場合はこのキーにより上下にスクロールさせることが可能である。１９０６は挿入文書プレビューキーであり、挿入文書リスト１９０４で文書を選択した後にこのキーを押下すると、図２０に示す画面に遷移し、文書内容を確認することができる。文書でなく、ページを挿入する場合には、図２０で挿入するページを指定することも可能である。１９０７は戻るキーであり、この画面での設定を無効にして図１１に戻る場合に使用する。１９０８はＯＫキーであり、この画面での設定を有効にして文書挿入を実行する場合に使用する。
【０１０１】
図２０は、本実施例における操作パネルの文書挿入プレビュー画面である。２００１はプレビューウィンドウであり、ここにプレビュー画像が表示される。画像サイズと倍率によっては、１画面に表示できない場合もある。２００２は上下左右のスクロールキーであり、画像サイズと倍率によって２００１の１画面にプレビュー画像が表示できない場合に、上下左右にスクロールさせるときに使用する。２００３はページめくりキーであり、２００１に表示するプレビュー画像のページを指定するために使用する。左のキーを押下すると前ページへ、右のキーを押下すると次ページへとページをめくることが可能である。２００４は拡大縮小キーであり、２００１に表示するプレビュー画像の倍率を変えるために使用する。「−」が縮小、「＋」が拡大である。２００５は挿入先指定キーであり、図１９の挿入先文書プレビューキー１９０３を押下してこの画面に遷移した場合に有効になり、２００１に表示しているプレビュー画像のページの後ろに挿入文書を挿入するように設定する場合に使用する。本実施例では後ろに挿入されるが、前に挿入されるようにしてもかまわない。２００６は挿入ページ指定キーであり、図１９の挿入文書プレビューキー１９０６を押下してこの画面に遷移した場合に有効になり、２００１に表示しているプレビュー画像のページを１９０１で指定している挿入先文書に挿入する場合に使用する。この場合、文書ではなく、プレビューしているページのみを挿入することになる。２００７は閉じるキーであり、プレビュー画面を閉じて図１９に示す画面に戻る場合に使用する。
【図面の簡単な説明】
【０１０２】
【図１】本装置の全体構成を示すブロック図である。
【図２】本装置のリーダー部及びプリンタ部の外観図である。
【図３】本装置の制御装置部のブロック図である。
【図４】本装置の画像処理部のブロック図である。
【図５】本装置の操作部外観図である。
【図６】本実施例における操作パネルのコピー標準画面を示した図である。
【図７】本実施例のハードディスクの論理的な使用方法を示した図である。
【図８】本実施例におけるボックス登録の手順を示すフローチャートである。
【図９】本実施例における操作パネルのボックス標準画面を示した図である。
【図１０】本実施例における操作パネルのパスワード入力画面を示す図である。
【図１１】本実施例における操作パネルのボックス内画面を示す図である。
【図１２】本実施例における操作パネルの挿入ページの設定画面を示す図である。
【図１３】本実施例における挿入紙の挿入例を示した図である。
【図１４】本実施例における操作パネルのプレビュー画面を示す図である。
【図１５】本実施例における操作パネルの挿入紙設定画面を示す図である。
【図１６】本実施例における操作パネルの用紙選択画面を示す図である。
【図１７】本実施例における挿入紙設定のフローチャートである。
【図１８】本実施例における文書挿入機能を説明した図である。
【図１９】本実施例における操作パネルの文書挿入画面を示す図である。
【図２０】本実施例における操作パネルの文書挿入プレビュー画面を示す図である。
【符号の説明】
【０１０３】
１００  画像入出力システム
１１０  制御装置
１５０  操作部
１７０、１８０  ホストコンピュータ
２００  リーダー部
２１０  スキャナユニット
２５０  原稿給紙ユニット
３００  プリンタ部
３６０  給紙ユニット
３７０  排紙ユニット
４００  ＬＡＮ
【図１】
2006180044.tif 000004
【図２】
2006180044.tif 000005
【図３】
2006180044.tif 000006
【図４】
2006180044.tif 000007
【図５】
2006180044.tif 000008
【図７】
2006180044.tif 000009
【図８】
2006180044.tif 000010
【図９】
2006180044.tif 000011
【図１０】
2006180044.tif 000012
【図１１】
2006180044.tif 000013
【図１２】
2006180044.tif 000014
【図１４】
2006180044.tif 000015
【図１５】
2006180044.tif 000016
【図１６】
2006180044.tif 000017
【図１７】
2006180044.tif 000018
【図１８】
2006180044.tif 000019
【図６】
2006180044.tif 000020
【図１３】
2006180044.tif 000021
【図１９】
2006180044.tif 000022
【図２０】
2006180044.tif 000023